(57)【要約】【課題】従来の記録ヘッドを利用して、磁気記録媒体に磁区を高速で記録可能な磁気記録装置及び磁気記録方法を提供すること。【解決手段】磁性細線３０に対して２値のデータを互いに逆方向の磁化のいずれかとして記録する磁気記録装置１００であって、磁性細線３０に対して、磁化の方向の磁界成分と、磁化の方向に直交する方向の磁界成分と、を付与する記録ヘッドを備える磁気記録装置１００である。また、磁性細線３０に対して２値のデータを互いに逆方向の磁化のいずれかとして記録する磁気記録方法であって、磁性細線３０に対して、磁化の方向の磁界成分と、磁化の方向に直交する方向の磁界成分と、を付与する磁気記録方法である。【選択図】図２
2018026189.tif 000002
【特許請求の範囲】
【請求項１】
磁気記録媒体に対して２値のデータを互いに逆方向の磁化のいずれかとして記録する磁気記録装置であって、
前記磁気記録媒体に対して、前記磁化の方向の磁界成分と、前記磁化の方向に直交する方向の磁界成分と、を付与する記録ヘッドを備える磁気記録装置。
【請求項２】
前記磁気記録媒体は、垂直磁気異方性を有する磁性膜を細線状に形成してなる磁性細線であり、
前記記録ヘッドは、前記磁化の方向に直交する方向の磁界成分として、前記磁性細線の幅方向の磁界成分を付与する請求項１に記載の磁気記録装置。
【請求項３】
前記記録ヘッドは、コイルに電流が印加されることで磁化して磁束を発生する磁極をそれぞれ備える第１記録ヘッド及び第２記録ヘッドを有し、
前記第１記録ヘッド及び第２記録ヘッドは、前記磁極同士が互いに鏡像関係の位置となるように前記磁気記録媒体の上下に配置されることで、前記磁化の方向に直交する方向の磁界成分を前記磁気記録媒体に付与する請求項１又は２に記載の磁気記録装置。
【請求項４】
前記記録ヘッドは、コイルに電流が印加されることで磁化して磁束を発生する磁極と、該磁極からの磁束を収束する磁気シールドと、を備え、これら磁極と磁気シールドとの間に前記磁気記録媒体を挟み込むように配置されることで、前記磁化の方向に直交する方向の磁界成分を前記磁気記録媒体に付与する請求項１又は２に記載の磁気記録装置。
【請求項５】
磁気記録媒体に対して２値のデータを互いに逆方向の磁化のいずれかとして記録する磁気記録方法であって、
前記磁気記録媒体に対して、前記磁化の方向の磁界成分と、前記磁化の方向に直交する方向の磁界成分と、を付与する磁気記録方法。
【発明の詳細な説明】
【技術分野】
【０００１】
本発明は、磁気記録装置及び磁気記録方法に関する。
【背景技術】
【０００２】
従来の磁気記録デバイスでは、機械的駆動部により磁気ディスクを回転させ、磁化の向きとしてデータが記録される磁区（磁気データ）を磁気ヘッドの位置まで移動させることにより、データの記録、再生が行われる。そのため、転送レートは機械的駆動部による回転速度が律速となり、転送レートのさらなる高速化には限界がある。
【０００３】
これに対して、近年、スーパーハイビジョンテレビ（ＳＨＶ）用として、大容量且つ超高速性を有する磁気記録デバイスの開発が進められている。例えば、磁気記録デバイスの転送レートを抜本的に向上させるものとして、磁壁移動型の磁気記録デバイスが提案されている（例えば、特許文献１参照）。この磁壁移動型の磁気記録デバイスは、細線状の磁性体からなる磁性細線の内部に形成された磁壁が電流の印加により高速にシフトする現象を利用したものである。
【０００４】
ところで、従来のＨＤＤ（Ｈａｒｄ  Ｄｉｓｋ  Ｄｒｉｖｅ）において、磁性体に垂直磁化を形成（上向きと下向きを磁化反転させて記録）する場合には、通常、磁気ディスクの全面に亘って記録層の下側に高透磁率軟磁性下地層（Ｓｏｆｔ  Ｕｎｄｅｒ  Ｌａｙｅｒ、以下「ＳＵＬ」という。）が配置され、磁気ディスク（記録層）の直上には磁気記録ヘッドが配置される。そして、記録ヘッドのコイルに電流が印加されると、磁極から発生した磁界によって磁束が記録層を通ってＳＵＬに向かって流れ、またＳＵＬから記録ヘッドのシールド部へ磁束が戻る閉磁路が形成される。この形成された閉磁路では、なるべく磁路長を最小にしようとする力が働くため、磁気ディスクの記録層に対して垂直に磁束が流れることとなり、効率良く磁区を形成（記録）することができる。
【０００５】
これに対して本出願人は、上述の磁性細線を用いた磁気記録においても、上述のＨＤＤの磁気記録と同様の技術が適用できることを提案している（例えば、非特許文献１参照）。この技術では、磁性細線の延びる方向（以下、「細線方向」という。）の全体ではなく記録ヘッドに対向する記録領域のみに、矩形状のＳＵＬを配置する。これにより、パルス電流の付加によって磁性細線とＳＵＬが重なり合う箇所で生じる磁区の形状等の乱れを抑制しつつ、記録ヘッド、記録層、高透磁率下地層及び記録ヘッドの磁気シールドの間で閉磁路を形成できるため、乱れの小さい磁区を効率良く形成できる。
【０００６】
また、磁性細線（記録層）の下側にＳＵＬを配置する技術以外にも、磁性細線を上下から挟み込む形で、鏡像型の一対の記録ヘッドを磁性細線の上下に配置する技術が考えられる。この技術によれば、ＳＵＬを用いることなく、磁性細線に効率良く磁区を形成できる。
【先行技術文献】
【特許文献】
【０００７】
【特許文献１】特開２０１１−１２３９４３号公報
【非特許文献】
【０００８】
【非特許文献１】映像情報メディア学会、２０１５年冬季大会講演予稿集、１２Ａ−１
【発明の概要】
【発明が解決しようとする課題】
【０００９】
ところで、近年では、磁気記録媒体に対する磁区形成のさらなる高速化が求められている。しかしながら、上述の各技術では、記録ヘッドに印加するコイル電流を大きくするか、あるいは磁性細線と記録ヘッド間の距離を小さくする必要があり、場合によっては記録ヘッド自体の構造を大きく見直す必要があった。
【００１０】
本発明は上記に鑑みてなされたものであり、その目的は、従来の記録ヘッドを利用して、磁気記録媒体に磁区を高速で記録可能な磁気記録装置及び磁気記録方法を提供することにある。
【課題を解決するための手段】
【００１１】
上記目的を達成するため本発明は、磁気記録媒体（例えば、後述の磁性細線３０）に対して２値のデータを互いに逆方向の磁化のいずれかとして記録する磁気記録装置（例えば、後述の磁気記録装置１００）であって、前記磁気記録媒体に対して、前記磁化の方向の磁界成分と、前記磁化の方向に直交する方向の磁界成分と、を付与する記録ヘッド（例えば、後述の記録ヘッド１０）を備える磁気記録装置を提供する。
【００１２】
前記磁気記録媒体は、垂直磁気異方性を有する磁性膜を細線状に形成してなる磁性細線であり、前記記録ヘッドは、前記磁化の方向に直交する方向の磁界成分として、前記磁性細線の幅方向の磁界成分を付与することが好ましい。
【００１３】
前記記録ヘッドは、コイル（例えば、後述のコイル１１１，１２１）に電流が印加されることで磁化して磁束を発生する磁極（例えば、後述の磁極１１２，１２２）をそれぞれ備える第１記録ヘッド（例えば、後述の第１記録ヘッド１１）及び第２記録ヘッド（例えば、後述の第２記録ヘッド１２）を有し、前記第１記録ヘッド及び第２記録ヘッドは、前記磁極同士が互いに鏡像関係の位置となるように前記磁気記録媒体の上下に配置されることで、前記磁化の方向に直交する方向の磁界成分を前記磁気記録媒体に付与するものであってよい。
【００１４】
前記記録ヘッドは、コイルに電流が印加されることで磁化して磁束を発生する磁極と、該磁極からの磁束を収束する磁気シールドと、を備え、これら磁極と磁気シールドとの間に前記磁気記録媒体を挟み込むように配置されることで、前記磁化の方向に直交する方向の磁界成分を前記磁気記録媒体に付与するものであってよい。
【００１５】
磁気記録媒体に対して２値のデータを互いに逆方向の磁化のいずれかとして記録する磁気記録方法であって、前記磁気記録媒体に対して、前記磁化の方向の磁界成分と、前記磁化の方向に直交する方向の磁界成分と、を付与する磁気記録方法を提供する。
【発明の効果】
【００１６】
本発明によれば、従来の記録ヘッドを利用して、磁気記録媒体に磁区を高速で記録可能な磁気記録装置及び磁気記録方法を提供できる。
【図面の簡単な説明】
【００１７】
【図１】本発明の第１実施形態に係る磁気記録装置の概略構成を示す図である。
【図２】上記実施形態に係る磁気記録装置の記録ヘッドの斜視図である。
【図３】上記実施形態に係る磁気記録装置の記録ヘッドを磁性細線の一端側から見た図である。
【図４】従来の磁気記録装置により付与される磁界成分を示す図である。
【図５】上記実施形態に係る磁気記録装置により付与される磁界成分を示す図である。
【図６】幅方向へのずれ角度θ１＝０°の場合の磁区形成シミュレーション結果を示す図である。
【図７】幅方向へのずれ角度θ１＝４５°の場合の磁区形成シミュレーション結果を示す図である。
【図８】幅方向へのずれ角度θ１＝５６°の場合の磁区形成シミュレーション結果を示す図である。
【図９】幅方向へのずれ角度θ１＝６８°の場合の磁区形成シミュレーション結果を示す図である。
【図１０】幅方向へのずれ角度θ１と磁化反転完了時間及び磁区が安定になる時間との関係を示す図である。
【図１１】幅方向へのずれ角度θ１と磁区長との関係を示す図である。
【図１２】細線方向へのずれ角度θ２と磁化反転完了時間及び磁区が安定になる時間との関係を示す図である。
【図１３】細線方向へのずれ角度θ２と磁区長との関係を示す図である。
【図１４】本発明の第２実施形態に係る磁気記録装置の記録ヘッドの側面図である。
【発明を実施するための形態】
【００１８】
以下、本発明の一実施形態について図面を参照して詳細に説明する。なお、第２実施形態の説明において、第１実施形態と共通する構成については同一の符号を付し、その説明を省略する。
【００１９】
［第１実施形態］
図１は、本発明の第１実施形態に係る磁気記録装置１００の概略構成を示す図である。
図１に示すように、磁気記録装置１００は、磁気記録媒体としての磁性細線３０に対して、２値のデータを互いに逆方向の磁化のいずれかとして書き込みする。より詳しくは、磁気記録装置１００は、磁性細線（トラック）３０の細線方向の先端側（再生側）から後端側（記録側）に向かって電流を供給することで、磁壁ＤＷ（Ｄｏｍａｉｎ  Ｗａｌｌ）及び磁区Ｄを後端側（記録側）から先端側（再生側）に向けて移動させることで、データの記録、再生が行われる。
【００２０】
磁気記録装置１００は、磁性細線３０を現行のＤＶＤ装置のように脱着可能（交換可能）としてもよく、現行のＨＤＤ装置と同様に脱着不可能（交換不可能）としてもよい。本実施形態では、磁性細線３０は脱着不可能（交換不可能）とする。
【００２１】
図１において、磁性細線３０の膜厚方向において上向きの磁化は、上向きの矢印で示し、磁性細線３０の膜厚方向において下向きの磁化は、下向きの矢印で示している。即ち、磁性細線３０は、垂直磁気記録型である。また、磁壁ＤＷ及び磁区Ｄの移動方向を磁壁移動方向として矢印で示している。
【００２２】
図１に示すように、磁気記録装置１００は、記録ヘッド１０と、電流供給部２０と、磁性細線３０と、を備える。
記録ヘッド１０については後段で詳述する。
電流供給部２０は、磁性細線３０の両端に接続され、磁壁ＤＷ及び磁区Ｄを断続的に移動させるパルス電流を、磁性細線３０の先端側（再生側）から後端側（記録側）に向かって供給する。これにより、磁区Ｄ及び磁壁ＤＷが磁性細線３０中を後端側（記録側）から先端側（再生側）に向かって移動する。
【００２３】
なお、磁区Ｄは、磁性細線３０において、２値の一方のデータ（例えば「０」）を記録した領域と、２値の他方のデータ（例えば「１」）を記録した領域を意味する。磁壁ＤＷは、磁区Ｄを区切るものであり、互いに隣接する磁区Ｄの境界を意味する。
【００２４】
磁性細線３０は、その長さ方向（細線方向）の所定の単位長さ（データ長）ごとに、２値のデータ、即ち「０」又は「１」のデータを、磁性細線３０の膜厚方向に対して、一方向又はその反対方向の磁化の磁区として記録する。この磁性細線３０において、１つのデータが格納された単位領域を「データ領域」という。図１では、上向きの矢印の磁区Ｄ（Ｄ１、Ｄ３）がそれぞれ１個のデータ領域ｍ１、ｍ４で構成され、下向きの矢印の磁区Ｄ（Ｄ２）が２個のデータ領域ｍ２、ｍ３で構成されている。
【００２５】
磁性細線３０は、図示しない基板上において、垂直磁気異方性を有する磁性膜を細線状に形成してなる。具体的には、磁性細線３０としては、Ｃｏ等の遷移金属とＰｄ、Ｐｔ、Ｃｕ、Ｎｉとを繰り返し積層した多層膜、ＴｂＦｅＣｏ、ＧｄＦｅ等の希土類金属と遷移金属との合金（ＲＥ−ＴＭ合金）が挙げられる。磁性細線３０の寸法や形状は、用途等に応じて適宜加工される。例えば、磁性細線３０は、その厚さ（膜厚）が５〜１００ｎｍ、その幅が１０〜２００ｎｍである。
【００２６】
書込領域３２は、磁性細線３０の磁化方向を記録ヘッド１０からの磁束により変化させるための領域であり、磁性細線３０において１つのデータ領域ｍに含まれる。なお、書込領域３２の位置は、磁性細線３０で固定されている。
【００２７】
次に、記録ヘッド１０について、図２及び図３を参照して説明する。
図２は、本実施形態に係る磁気記録装置１００の記録ヘッド１０の斜視図である。また、図３は、本実施形態に係る磁気記録装置１００の記録ヘッド１０を磁性細線３０の一端側から見た図である。
本実施形態に係る磁気記録装置１００は、従来の記録ヘッドの構造を変更することなく、磁化Ｍの方向の磁界成分と、磁化Ｍの方向に直交する方向の磁界成分と、を含むヘッド磁界Ｈを付与する構成となっている。
【００２８】
本実施形態に係る磁気記録装置１００は、記録ヘッド１０を備える。
記録ヘッド１０は、磁性細線３０に対して、磁化の方向（垂直方向、上下方向）の磁界成分と、磁化の方向に直交する方向（水平方向）の磁界成分と、を付与する。具体的には、記録ヘッド１０は、第１記録ヘッド１１と、第２記録ヘッド１２と、を備える。
【００２９】
第１記録ヘッド１１及び第２記録ヘッド１２は、それぞれ、コイル１１１，１２１と、磁極１１２，１２２と、を備える。各コイル及び各磁極は互いに同一の構成である。
コイル１１１，１２１は、それぞれ、図示しない電源部に接続され、該電源部から電流が供給されることで、後述の磁極１１２，１２２を磁化する。図２に示すように、コイル１１１，１２１は、例えば四角筒状を有し、その内側に後述の磁極が挿通される。
磁極１１２，１２２は、それぞれ、コイル１１１，１２１に電流が印加されることで磁化して磁界を発生し、磁性細線３０に磁束を流す。図２に示すように、磁極１１２，１２２は、例えば四角柱状を有し、上述のコイル１１１，１２１内に挿通されて配置される。
【００３０】
図３に示すように、第１記録ヘッド１１及び第２記録ヘッド１２は、磁極１１２，１２２同士が互いに鏡像関係の位置となるように、磁性細線３０の上下に配置される。より詳しくは、図３に示すように、上側の第１記録ヘッド１１は磁性細線３０の幅方向の中心から幅方向一方側（左側）に距離ｄ離れた位置に配置される。これに対して、下側の第２記録ヘッド１２は磁性細線３０の幅方向の中心Ｏから幅方向他方側（右側）に距離ｄ離れた位置に配置される。即ち、第１記録ヘッド１１及び第２記録ヘッド１２は、磁極１１２，１２２同士が互いに鏡像関係の位置となるように、磁性細線３０の上下に配置されている。これにより、磁性細線３０に対して、磁化の方向（垂直方向、上下方向）の磁界成分と、磁化の方向に直交する方向（水平方向）の磁界成分と、を付与可能となっている。
【００３１】
なお、本実施形態では、第１記録ヘッド１１及び第２記録ヘッド１２は、上述したように磁性細線３０の幅方向の位置が互いにずれているのに対して、磁性細線３０の長さ方向（細線方向）の位置は同じである。即ち、記録ヘッド１０は、磁化の方向（垂直方向、上下方向）に直交する方向の磁界成分として、磁性細線の幅方向の磁界成分のみを付与する構造となっている。従って、記録ヘッド１０は、初期磁化方向と逆向きの磁界成分と、初期磁化方向に対して直交する磁性細線３０の幅方向の水平成分と、の合成外部磁界によって、磁化を反転させる。
【００３２】
ここで、図３に示すように、Ｙ方向の磁束の流れる向きとＺ軸方向とのなす角度をθ１と定義する。この角度θ１は、幅方向へのずれ角度を意味する。また、磁性細線３０の幅方向の中心Ｏからの幅方向の距離、即ち幅方向へのずれ量をｄと定義する。幅方向へのずれ量ｄが大きくなるほど、幅方向へのずれ角度θ１は大きくなることが分かる。
【００３３】
ここで、磁気記録装置１００により磁性細線３０に付与される磁界成分について、図４及び図５を参照して詳しく説明する。
図４は、従来の磁気記録装置により付与される磁界成分を示す図である。図５は、本実施形態に係る磁気記録装置１００により付与される磁界成分を示す図である。
【００３４】
図４に示すように、従来の磁気記録装置では、記録ヘッドから付与されるヘッド磁界Ｈは、磁性細線３０の厚み方向（垂直方向）であるＺ軸方向のＨｚ成分のみからなる。ヘッド磁界Ｈが付与されると、磁性細線３０の磁化Ｍは歳差運動しながら、上向きの＋Ｚ方向から下向きの−Ｚ方向に反転する。このとき、ヘッド磁界Ｈには水平方向のＸ、Ｙ方向成分が無いため、磁化Ｍの反転には時間がかかる。そのため、磁化Ｍの反転の高速化には、ヘッド磁界Ｈを大きくする必要がある。
【００３５】
これに対して、図５に示すように、本実施形態に係る磁気記録装置１００では、記録ヘッド１０から付与されるヘッド磁界Ｈは、磁性細線３０の厚み方向（垂直方向）であるＺ軸方向のＨｚ成分に加えて、水平方向であるＹ方向（磁性細線３０の幅方向）のＨｙ成分からなる合成磁界である。このとき、ヘッド磁界Ｈには水平方向のＹ方向成分が存在するため、磁性細線３０の磁化Ｍは、上向きの＋Ｚ方向から水平方向のＹ方向に向かって傾いた後に、歳差運動しながら下向きの−Ｚ方向に反転する。そのため、最初に傾く分、従来よりも磁化Ｍの反転が早い。
【００３６】
また、水平方向のＸ方向（細線方向）のＨｘ成分を含む場合、上述のＨｙ成分を含む場合と同様に、最初に傾く分、磁化Ｍの反転が早い。ただし、ヘッド磁界Ｈが水平方向のＸ方向（細線方向）のＨｘ成分を含むと、磁区長（細線方向における磁区の長さ）が大きくなるため、水平方向成分として、Ｈｘ成分を含まずにＹ方向（磁性細線３０の幅方向）のＨｙ成分のみを含むことが好ましい。これにより、磁区形成を高速化できるとともに、磁区長を小さくできるようになっている。
【００３７】
次に、磁区形成のシミュレーション結果について説明する。
図６〜図９は、幅方向へのずれ角度θ１を、それぞれ、０°（ｄ＝０ｎｍ）、４５°（ｄ＝４０ｎｍ）、５６°（ｄ＝６０ｎｍ）、６８°（ｄ＝１００ｎｍ）とした場合の磁区形成シミュレーション結果を示す図である。
これら図６〜図９は、磁性細線３０に磁界Ｈを付与したときの磁区Ｄの形成を、上から下に経時（単位ｎｓ）で順番に示すものである。これらの図において、横方向は細線方向であり、色が濃い部分ほど下向きに磁化されて磁区Ｄが形成されていることを示している。
【００３８】
これら図６〜図９から、幅方向へのずれ量ｄを大きくして幅方向へのずれ角度θ１を大きくしていくにつれて、磁区Ｄが早く形成されることが分かる。また、磁区Ｄの磁区長に変化は無く、ほぼ均一であることが分かる。
【００３９】
図１０は、幅方向へのずれ角度θ１と磁化反転完了時間及び磁区が安定になる時間との関係を示す図である。この図１０は、上述の図６〜図９の結果に基づいて作成されたものである。図１０において、横軸は幅方向へのずれ角度θ１（°）を表しており、左縦軸は磁化反転完了時間（ｎｓ）、即ち磁区形成完了時間を表しており、右縦軸は磁区が安定になる時間（ｎｓ）を表している。
図１０から、幅方向へのずれ角度θ１が４５°〜６０°の範囲において、磁化反転完了時間と磁区が安定になる時間いずれもが短いことが分かる。即ち、幅方向へのずれ角度θ１が４５°〜６０°の範囲であれば、より高速に磁区Ｄを形成できるため好ましいと言える。また、幅方向へのずれ角度θ１が５６°〜６０°の範囲であれば、さらに高速に磁区Ｄを形成できるため好ましいと言える。
【００４０】
図１１は、幅方向へのずれ角度θ１と磁区長との関係を示す図である。この図１１も図１０と同様に、上述の図６〜図９の結果に基づいて作成されたものである。図１１において、横軸は幅方向へのずれ角度θ１（°）を表しており、縦軸は磁区長（ｎｍ）を表している。
図１１から明らかであるように、幅方向へのずれ角度θ１が変化しても、形成される磁区Ｄの磁区長には変化が無い。即ち、形成される磁区Ｄの磁区長は一定であり、磁区長の小さい磁区が安定して形成可能であると言える。
【００４１】
上記シミュレーション結果から、磁性細線３０に対して、磁化の方向の磁界成分と、磁化の方向に直交する方向の磁界成分を付与することにより、磁区Ｄを高速で形成（記録）可能であることが確認される。
また、磁化の方向に直交する方向の磁界成分として、磁性細線３０の幅方向の磁界成分を付与することにより、磁区を高速に形成しながら磁区長を小さくできることが確認される。
【００４２】
次に、第１記録ヘッド１１及び第２記録ヘッド１２を、磁性細線３０の幅方向ではなく、細線方向の位置を互いにずらして鏡像関係の配置とした場合の磁区形成について説明する。
ここで、Ｘ方向（細線方向）の磁束の流れる向きとＺ軸方向とのなす角度をθ２と定義する。この角度θ２は、細線方向へのずれ角度を意味する。
【００４３】
図１２は、細線方向へのずれ角度θ２と磁化反転完了時間及び磁区が安定になる時間との関係を示す図である。図１２において、横軸は細線方向へのずれ角度θ２（°）を表しており、左縦軸は磁化反転完了時間（ｎｓ）、即ち磁区形成完了時間を表しており、右縦軸は磁区が安定になる時間（ｎｓ）を表している。
また、図１３は、細線方向へのずれ角度θ２と磁区長との関係を示す図である。図１３において、横軸は細線方向へのずれ角度θ２（°）を表しており、縦軸は磁区長（ｎｍ）を表している。
図１２から、細線方向へのずれ角度θ２が大きくなると、磁化反転完了時間及び磁区が安定になる時間いずれも、短くなることが分かる。
ただし、図１３から、安定化した磁区Ｄの磁区長が若干大きくなり変動し易いことが分かる。したがって、磁化の方向に直交する方向の磁界成分としては、磁性細線の幅方向に磁界成分を付与することが好ましい。
【００４４】
本実施形態に係る磁気記録装置１００によれば、以下の効果が奏される。
本実施形態に係る磁気記録装置１００では、磁性細線３０に対して、磁化の方向の磁界成分と、磁化の方向に直交する方向の磁界成分と、を付与する記録ヘッド１０を設けた。これにより、ヘッド磁界Ｈには水平方向のＹ方向成分が存在するため、磁性細線３０の磁化Ｍを、上向きの＋Ｚ方向から水平方向のＹ方向に向かって傾けた後に、歳差運動しながら下向きの−Ｚ方向に反転させることができる。そのため、最初に傾く分、磁化Ｍの反転を早めることができ、磁区Ｄの形成を高速化できる。
【００４５】
また、本実施形態に係る磁気記録装置１００では、磁化Ｍの方向に直交する方向の磁界成分として、磁性細線３０の幅方向の磁界成分を付与する記録ヘッド１０を設けた。これにより、磁区Ｄの形成を高速化できるとともに、安定して小さい磁区長の磁区Ｄを形成できる。
【００４６】
また、本実施形態に係る磁気記録装置１００では、磁束を発生する磁極１１２，１２２をそれぞれ備える第１記録ヘッド１１及び第２記録ヘッド１２を設け、第１記録ヘッド１１及び第２記録ヘッド１２を、磁極１１２，１２２同士が互いに鏡像関係の位置となるように磁性細線３０の上下に配置した。これにより、磁化の方向に直交する方向の磁界成分を磁性細線３０に確実に付与することができ、上述の効果が確実に奏される。
【００４７】
また、本実施形態に係る磁気記録装置１００によれば、磁性細線３０に対して、磁化の方向の磁界成分と、磁化の方向に直交する方向の磁界成分と、を付与する磁気記録方法を提供できる。そして、かかる磁気記録方法によれば、上述の効果が奏される。
【００４８】
［第２実施形態］
図１４は、本発明の第２実施形態に係る磁気記録装置１００Ａの記録ヘッド１０Ａの側面図である。
図１４に示すように、本実施形態に係る磁気記録装置１００Ａは、磁性細線３０を単一の記録ヘッド１０Ａで挟み込む構造となっている。
【００４９】
記録ヘッド１０Ａは、コイル１１Ａと、磁極１２Ａと、磁気シールド１３Ａと、を備える。
コイル１１Ａは、図示しない電源部に接続され、該電源部から電流が供給されることで後述の磁極１２Ａを磁化する。
磁極１２Ａは、コイル１１Ａに電流が印加されることで磁化して磁界を発生し、磁性細線３０に磁束を流す。
磁気シールド１３Ａは、磁極１２Ａからの磁束を収束する。これにより、磁極１２Ａ、磁性細線３０及び磁気シールド１３Ａの間で、閉回路が形成される。
【００５０】
先ず、磁極１２Ａと磁気シールド１３Ａとの間に、磁性細線３０を挟み込むように、記録ヘッド１０Ａを配置する。次いで、この状態で、図１４中に矢印で示すように記録ヘッド１０Ａを回転させる。これにより、磁性細線３０に入射する磁束の角度を変化させることができ、磁化の方向に直交する方向の磁界成分が磁性細線３０に付与される。
【００５１】
本実施形態によれば、上述の第１実施形態と同様の効果が奏される。
また、磁束を発生する磁極１２Ａと、磁極１２Ａからの磁束を収束する磁気シールド１３Ａと、を備える記録ヘッド１０Ａを設け、磁極１２Ａと磁気シールド１３Ａとの間に磁性細線３０を挟み込むように記録ヘッド１０Ａを配置した。これにより、磁化の方向に直交する方向の磁界成分を磁性細線３０に確実に付与することができ、上述の効果が確実に奏される。特に本実施形態では、単一の記録ヘッド１０Ａで足りるため、装置構成を簡素化でき、コストを削減できる。
【００５２】
なお、本発明は上記実施形態に限定されるものではなく、本発明の目的を達成できる範囲での変形、改良は本発明に含まれる。
例えば、磁気記録媒体としては磁性細線３０に限定されず、ビットパターンメディア等を用いてもよい。
また、磁性細線３０の形状は限定されず、磁性細線３０は並列に配置してよく、磁性細線３０の本数も特に限定されない。磁性細線３０の構造としては、配向制御層を用いたものでもよく、配向制御層を用いなくてもよい。
また、第１実施形態では記録ヘッド１０として鏡像関係の配置となる第１記録ヘッド１１及び第２記録ヘッド１２を用いたが、磁化の方向に直交する方向の磁界成分を付与できればよく、例えばＳＵＬを利用して該ＳＵＬに一方の記録ヘッドのみを対向配置させてもよい。
【符号の説明】
【００５３】
１０，１０Ａ  記録ヘッド
１１  第１記録ヘッド
１１Ａ  コイル
１２  第２記録ヘッド
１２Ａ  磁極
１３Ａ  磁気シールド
３０  磁性細線
１００  磁気記録装置
１１１，１２１  コイル
１１２，１２２  磁極
【図１】
2018026189.tif 000003
【図２】
2018026189.tif 000004
【図３】
2018026189.tif 000005
【図４】
2018026189.tif 000006
【図５】
2018026189.tif 000007
【図６】
2018026189.tif 000008
【図７】
2018026189.tif 000009
【図８】
2018026189.tif 000010
【図９】
2018026189.tif 000011
【図１０】
2018026189.tif 000012
【図１１】
2018026189.tif 000013
【図１２】
2018026189.tif 000014
【図１３】
2018026189.tif 000015
【図１４】
2018026189.tif 000016